(57)【要約】【課題】収納部の折りたたみ状態を維持し、使用時に収納部を大きく膨らませて商品を収納することができるマチ付き包装袋及びその製造方法を提供する。【解決手段】吊下ヘッダー１１を有する固定基盤１０を設ける。該固定基盤１０の前面側に突出する透明なフィルム製の収納部２０を設ける。この収納部２０にマチ部２１を設けて収納部２０を折りたたみ自在に形成する。折りたたまれた収納部２０の前面側に重合する圧着片１２を設ける。該圧着片１２を固定基盤１０の前面側に装着する。圧着片１２にて収納部２０の折りたたみ状態を維持するように設ける。使用時に該圧着片１２を除去する。固定基盤１０の前面方向に突出させた収納部２０に商品を収納する。【選択図】  図１
2018052519.tif 000002
【特許請求の範囲】
【請求項１】
吊下ヘッダーを有する固定基盤と、該固定基盤の前面側に突出する透明なフィルム製の収納部とを備え、この収納部にマチ部を設けて収納部を折りたたみ自在に形成したマチ付き展示用袋において、
マチ部に沿って折りたたまれた収納部の前面側に重合する圧着片を設け、該圧着片を固定基盤に装着して収納部の折りたたみ状態を維持するように設け、使用時に該圧着片を除去して折りたたまれている収納部を固定基盤の前面方向に突出させて商品を収納するように構成したことを特徴とするマチ付き展示用袋。
【請求項２】
前記収納部は、横マチ部と底マチ部と、該底マチ部に対向する上端部がわに配する上マチ部とを備えた箱状を成し、前記収納部内に商品を収納する商品収納口を前記固定基盤に形成すると共に、該商品収納口を封止する封止片を前記固定基盤の後面側に着脱自在に設けた請求項１記載のマチ付き展示用袋。
【請求項３】
請求項１記載のマチ付き展示用袋の製造方法において、
前記収納部の展開型を合成樹脂の透明なフィルム材から抜き取る型抜工程と、
該展開型を組み立てて収納部を形成する組立工程と、
マチ部に沿って折りたたまれた前記収納部と該収納部の前面側に配置する圧着片と該収納部の後面側に配置する背面体とを同時に熱溶着する溶着工程と、を備え、
該溶着工程で溶着した背面体と圧着片とで固定基盤を構成することを特徴とするマチ付き展示用袋の製造方法。
【請求項４】
前記型抜工程において、前記展開型は、横マチ部と底マチ部と、該底マチ部に対向する上端部がわに配する上マチ部とを備えると共に、横マチ部の左右側縁に延長する左右接合片と、底マチ部の下側縁に延長する下接合片と、上マチ部の上側縁に延長する上接合片とが形成される展開型とし、該型抜工程で前記商品収納口を備えた前記背面体を形成すると共に、該商品収納口を封止する封止片を形成し、
前記組立工程において、該展開型にて箱状の収納部の周囲に左右接合片、上下接合片が張出すように形成し、
前記溶着工程において、左右接合片、上下接合片の前面側に前記圧着片を重ねると共に、後面側に背面体と封止片とを重ね、これら左右接合片、上下接合片を介して、圧着片、背面体、封止片を同時に熱溶着する請求項３記載のマチ付き展示用袋の製造方法。
【発明の詳細な説明】
【技術分野】
【０００１】
本発明は、マチ付き展示用袋を折りたたんだ状態で搬送し、使用時にブリスターパックのように広げることができるマチ付き展示用袋及びその製造方法に関する。
【背景技術】
【０００２】
ブリスターパック(Blister pack)とは、透明なパッケージに商品を収納し、この商品を展示する場合に多く使用される。店頭の展示方法として、パッケージ上部の吊り下げヘッダーに棒状の陳列バーを通して商品を吊下げ展示する。透明なパッケージは、板状のプラスチックをバキュームフォームなどで成型して前方に突出する透明な収納部を形成する。そして、この収納部に商品を入れ、収納部の後面に固定基盤となる台紙やプラスチックを熱圧着するタイプ、あるいは固定基盤を熱圧着せずにスライド式に装着するタイプなどがある。
【０００３】
ところが、このブリスターパックは、収納部が大きく膨らんで嵩張ることから、使用前の容器を搬送する際に多くの容積が必要になるといった不都合がある。そこで、薄いフィルム状の収納部を形成し、この収納部に横マチを設けて折りたたみ自在に形成したマチ付き展示用袋が提案されている。このようなマチ付き展示用袋によると、収納部をマチ部に沿って折りたたむことで、ブリスターパックと比べてコンパクトな状態で搬送できる構成になっている。
【０００４】
特許文献１に記載されているマチ付き展示用袋は、吊り下げヘッダーの下にサイドガゼット付き包装袋を設けたもので、商品を収納したサイドガゼット付きの包装袋を吊り下げヘッダーにて吊下げるように構成したものである。
【０００５】
一方、特許文献２には、当出願人が先に提案したマチ付き展示用袋が記載されている。このマチ付き展示用袋は、横マチを形成した収納部や底マチを形成した収納部を吊り下げヘッダーの下に設けることができる。このマチ付き展示用袋により、未使用時にコンパクトに搬送することができ、使用時にブリスターパックのように収納部を大きく膨らませて商品を収納することに成功した。
【先行技術文献】
【特許文献】
【０００６】
【特許文献１】特開２００２‐３７２７３号公報
【特許文献２】特許第５３２７９９５号公報
【発明の概要】
【発明が解決しようとする課題】
【０００７】
従来のマチ付き展示用袋は、いずれも収納部の開口した上下端部から商品を収納した後、開口部を閉じる構成である。そのため、商品を収納する前の収納部は、開口した端部が大きく広がる構成になっている。この開口部分が、搬送する際に部分的に嵩張るので搬送時に不都合が生じていた。
【０００８】
すなわち、合成樹脂の薄いフィルムの性質により、収納部に設けたマチ部を折りたたんでもこのマチ部が次第に開く復元現象がある。したがって、マチ部に沿って収納部を折りたたんでも、収納部が次第に膨らんでしまうことになる。特に、収納部の一端に形成した開口部分は、予め閉じている他端部に比べて大きく膨らんでしまうので、収納部の片側のみが偏って膨らむといった特殊な形状になっている。このため、搬送時に開口部が嵩張り、ブリスターパックほどではないが、それなりの容積が必要になると共に、片側のみが膨らむといった特殊な形状から、搬送作業にも支障が生じるおそれもあった。
【０００９】
しかも、収納部に底マチを設けた構成では、開口部と共に、折りたたんだ底マチ部までが復元現象で膨らむので、搬送時の容積がより多くなる不都合が生じていた。
【００１０】
これらのマチ付き展示用袋は、ブリスターパック状に大きく膨らむ収納部を折りたたんでコンパクトに搬送できるといった長所がある。しかしながら従来のマチ付き展示用袋は収納部の復元現象のために本来の長所を十分に生かすことができなかった。
【００１１】
そこで、本発明は上述の課題を解消すべく創出されたもので、収納部の折りたたみ状態を維持してコンパクトに搬送することができ、使用時に収納部を大きく膨らませてブリスターパックのように商品を収納することができるマチ付き包装袋及びその製造方法の提供を目的とする。
【課題を解決するための手段】
【００１２】
上述の目的を達成すべく本発明における第１の手段は、吊下ヘッダー１１を有する固定基盤１０と、該固定基盤１０の前面側に突出する透明なフィルム製の収納部２０とを備え、この収納部２０にマチ部２１を設けて収納部２０を折りたたみ自在に形成したマチ付き展示用袋において、マチ部２１に沿って折りたたまれた収納部２０の前面側に重合する圧着片１２を設け、該圧着片１２を前記固定基盤１０に装着して収納部２０の折りたたみ状態を維持するように設け、使用時に該圧着片１２を除去して折りたたまれている収納部２０を固定基盤１０の前面方向に突出させて商品を収納するように構成したことにある。
【００１３】
第２の手段において、前記収納部２０は、横マチ部２１Ａと底マチ部２１Ｂと、該底マチ部に対向する上端部がわに配する上マチ部２１Ｃとを備えた箱状を成し、前記収納部２０内に商品を収納する商品収納口１０Ａを前記固定基盤１０に形成すると共に、該商品収納口１０Ａを封止する封止片１４を前記固定基盤の後面側に着脱自在に設けたものである。
【００１４】
第３の手段は、前記マチ付き展示用袋の製造方法において、前記収納部２０の展開型２０Ａを合成樹脂の透明なフィルム材から抜き取る型抜工程１００と、該展開型２０Ａを組み立てて収納部２０を形成する組立工程２００と、マチ部２１に沿って折りたたまれた前記収納部２０と該収納部２０の前面側に配置する圧着片１２と該収納部２０の後面側に配置する背面体１３とを同時に熱溶着する溶着工程３００と、を備え、該溶着工程３００で溶着した背面体１３と圧着片１２とで固定基盤１０を構成する製造方法にある。
【００１５】
第４の手段は、前記型抜工程１００において、前記展開型２０Ａは、横マチ部２１Ａと底マチ部２１Ｂと、該底マチ部に対向する上端部がわに配する上マチ部２１Ｃとを備えると共に、横マチ部２１Ａの左右側縁に延長する左右接合片２２と、底マチ部２１Ｂの下側縁に延長する下接合片２３と、上マチ部２１Ｃの上側縁に延長する上接合片２４とが形成される展開型２０Ａとし、該型抜工程１００で商品収納口１０Ａを備えた前記背面体１３を形成すると共に、該商品収納口１０Ａを封止する封止片１４を形成し、前記組立工程２００において、該展開型２０Ａにて箱状の収納部２０の周囲に左右接合片２２、上下接合片２３、２４が張出すように形成し、前記溶着工程３００において、左右接合片２２、上下接合片２３、２４の前面側に前記圧着片１２を重ねると共に、後面側に背面体１３と封止片１４とを重ね、これら左右接合片２２、上下接合片２３、２４を介して、圧着片１２、背面体１３、封止片１４を同時に熱溶着する製造方法とするものである。
【発明の効果】
【００１６】
請求項１、３に記載のごとく、マチ部２１に沿って折りたたまれた収納部２０の前面側に重合する圧着片１２を設け、該圧着片１２を固定基盤１０の前面側に装着して収納部２０の折りたたみ状態を維持するように設けているので、従来のように、未使用時に、マチ部に沿って収納部を折りたたんだ後に収納部が次第に膨らんでしまうといった不都合は解消され、商品を収納するまで、常に扁平な状態を維持することができる。この結果、扁平に折りたたんだ収納部２０により未使用の状態で大量の展示用袋をコンパクトに収納・搬送することができるものである。
【００１７】
しかも、請求項２、４のように、収納部２０は、横マチ部２１Ａと底マチ部２１Ｂと上マチ部２１Ｃとを備えた箱状を成しているので、使用時には、大きな収納容積を備えたブリスターパックと同様に商品を収納することができる。
【００１８】
また、収納部２０内に商品を収納する商品収納口１０Ａを前記固定基盤１０に形成すると共に、該商品収納口１０Ａを封止する封止片１４を前記固定基盤の後面側に着脱自在に設けているので、収納部２０内に商品の再収納が可能になる。
【００１９】
このように、本発明によると、収納部の折りたたみ状態を維持してコンパクトに搬送することができ、使用時に収納部を大きく膨らませてブリスターパックのように商品を収納することに成功したものである。
【図面の簡単な説明】
【００２０】
【図１】本発明の使用状態の一実施例を示す斜視図である。
【図２】本発明の未使用状態の一実施例を示す分解斜視図である。
【図３】本発明の未使用状態の一実施例を示す斜視図である。
【図４】本発明を使用状態にする過程を示す側面図である。
【図５】本発明の使用状態の一実施例を示す側面図である。
【図６】本発明の型抜工程で抜いた展開型を示す展開図である。
【図７】（イ）、（ロ）は、本発明の組立工程で展開型を折りたたむ工程を示す説明図である。
【図８】（イ）、（ロ）は、本発明の組立工程で箱状の収納部を組立てる工程を示す説明図である。
【図９】（イ）、（ロ）は、箱状の収納部をマチ部に沿って折りたたんだ状態を示す説明図である。
【図１０】本発明製造方法の一実施例を示すフロー図である。
【発明を実施するための形態】
【００２１】
本発明展示用袋は、未使用時にマチ部に沿って折りたたんだ状態で収納・搬送するものである（図３参照）。そして、商品収納時にブリスターパックのように広げて使用する（図１参照）。したがって、ブリスターパックよりも薄い材質のフィルム材にて形成することができる。例えば、ポリプロピレンフィルムにナイロンフィルムがラミネートされたフィルム材や、LDPEフィルム、HDPEフィルム、PETフィルム、アルミ蒸着フィルムなど任意の合成樹脂材を使用することが可能である。
【００２２】
本発明展示用袋の基本構成は、固定基盤１０と収納部２０とで構成され、固定基盤１０の上部に吊下ヘッダー１１を備えている（図１参照）。そして、未使用時に収納部２０のマチ部２１に沿って折りたたんだ収納部２０を折りたたんだ状態に維持する圧着片１２を固定基盤１０に装着する（図２参照）。使用時は、この圧着片１２を除去し、固定基盤１０の前面側に収納部２０を突出させて商品を収納するものである（図４参照）。吊下ヘッダー１１には係止孔１１Ａが開穿されており、この係止孔１１Ａに棒状の支持具等を挿通して収納部２０内の商品を吊下げて陳列する（図１参照）。
【００２３】
固定基盤１０は、収納部２０を固定する板状部材である（図１参照）。この固定基盤１０には、収納部２０内に商品を収納する商品収納口１０Ａを形成している（図２参照）。図示の固定基盤１０は、圧着片１２と背面体１３とを重合して板状に形成したものである。そして、背面体１３に商品収納口１０Ａを形成すると共に、この商品収納口１０Ａを封止する封止片１４を背面体１３の後面側、すなわち固定基盤１０の後面側に着脱自在に設けたものである。封止片１４には、剥離紙１４Ａが備えられ、この剥離紙１４Ａを剥がすと背面体１３に封止片１４を接着する接着剤が表出するように設けている。
【００２４】
収納部２０は固定基盤１０の前面側に突出する収納部材である（図１参照）。この収納部２０にマチ部２１を設けて未使用時の収納部２０を折りたたみ自在に形成する（図２参照）。図示の収納部２０は、横マチ部２１Ａと底マチ部２１Ｂと、該底マチ部に対向する上端部がわに配する上マチ部２１Ｃとを備えた箱状を成している（図１参照）。この他、横マチ部２１Ａのみを備えた収納部２０や、マチ部２１と底マチ部２１Ｂとを備えた収納部２０を形成することも可能である。
【００２５】
圧着片１２は、マチ部２１に沿って折りたたまれた収納部２０の前面側に重合するフィルム状の部材で、固定基盤１０の前面側に装着して収納部２０の折りたたみ状態を維持するように設けられている（図３参照）。図示例では、固定基盤１０の収納部２０がわに圧着片１２を配置し、折りたたんだ収納部２０に重ねた状態で圧着片１２の周囲を溶着する（図２参照）。そして、商品を収納する際は、圧着片１２を除去する（図４参照）。図示例では、切抜線１２Ａから切抜片１２Ｂを除去する構成になっている（図４参照）。この他、圧着片１２全体を剥がす構成にするなど、圧着片１２の除去は任意に選択することが可能である。
【００２６】
更に、封止片１４を背面体１３から剥がして商品収納口１０Ａに指等を挿入して折りたたまれている収納部２０を固定基盤１０の前面方向に突出させて商品を収納する（図５参照）。商品収納後、再び商品収納口１０Ａを覆うようにして封止片１４を固定基盤１０に接着する。また固定基盤１０に商品収納口１０Ａを形成しないで済む収納部２０を使用する場合、この封止片１４も不要になる。
【００２７】
次に、本発明展示用袋の製造方法について説明する。本発明の基本工程は、型抜工程１００と、組立工程２００と、溶着工程３００とを備えた製造方法である（図１０参照）。
【００２８】
型抜工程１００は、収納部２０の展開型２０Ａを合成樹脂の透明なフィルム材から抜き取る工程である（図６参照）。図１のように箱状を成した収納部２０を形成する場合、この展開型２０Ａは、横マチ部２１Ａ、底マチ部２１Ｂ、上マチ部２１Ｃを形成すると共に、左右接合片２２、下接合片２３、上接合片２４を形成した展開型２０Ａとなる。
【００２９】
すなわち、左右接合片２２は、横マチ部２１Ａの左右側縁に延長する部材であり、下接合片２３は底マチ部２１Ｂの下側縁に延長する部材、上接合片２４は上マチ部２１Ｃの上側縁に延長する部材である（図６参照）。そして、後述する溶着工程３００により、これら左右接合片２２、下接合片２３、上接合片２４を介して固定基盤１０と収納部２０とを一体化するものである。また、この型抜工程１００により、商品収納口１０Ａを備えた背面体１３や、この商品収納口１０Ａを封止する封止片１４、あるいは圧着片１２を抜き取り形成することも可能である（図２参照）。
【００３０】
組立工程２００は、展開型２０Ａを組み立てて図２に示す如き収納部２０を形成する工程である。この工程で、箱状を成した収納部２０を形成する場合、前述のごとく、横マチ部２１Ａ、底マチ部２１Ｂ、上マチ部２１Ｃを形成すると共に、左右接合片２２、下接合片２３、上接合片２４を形成した展開型２０Ａを組み立てる工程になる（図７（イ）、（ロ）参照）。そして、箱状の収納部２０の周囲に左右接合片２２、上下接合片２３、２４が張出すように組み立てる（図８（イ）、（ロ）参照）。その後、収納部２０を各マチ部２１から折りたたみ、扁平な収納部２０を形成する（図９（イ）、（ロ）参照）。尚、同図（イ）は、折りたたんだ収納部２０を裏から見た図であり、同図（ロ）は表から見た図である。
【００３１】
溶着工程３００は、マチ部２１に沿って扁平に折りたたまれた収納部２０と、この収納部２０の前面側に配置する圧着片１２と、収納部２０の後面側に配置する背面体１３とを同時に熱溶着する工程である（図２参照）。そして、この溶着工程３００で溶着した背面体１３と圧着片１２とで固定基盤１０を形成すると共に、上部に吊下ヘッダー１１を形成する（図１参照）。図示例では、箱状を成した収納部２０を形成する場合を示しており、背面体１３には、商品収納口１２Ａを形成し、この商品収納口１２Ａを封止する封止片１４を形成している（図２参照）。
【００３２】
この工程において、左右接合片２２、上下接合片２３、２４の前面側に前記圧着片１２の周囲部分を重ねると共に、後面側に背面体１３と封止片１４とを重ね、これら左右接合片２２、上下接合片２３、２４を介して、圧着片１２、背面体１３、封止片１４を同時に熱溶着する工程となる（図２参照）。
【００３３】
本発明は、合成樹脂材で形成されるマチ付き展示用袋として利用される。このとき、マチ付き展示用袋は図示例の形状に限定されものではなく、吊下ヘッダー１１や圧着片１２等も任意に変更することができる。更に、マチ付き展示用袋の用途、形状やサイズ、あるいは材質などは、本発明の要旨を変更しない範囲で自由な設計変更が可能である。
【符号の説明】
【００３４】
１０  固定基盤
１０Ａ  商品収納口
１１  吊下ヘッダー
１１Ａ  係止孔
１２  圧着片
１２Ａ  切抜線
１２Ｂ  切抜片
１３  背面体
１４  封止片
１４Ａ  剥離紙
２０  収納部
２０Ａ  展開型
２１  マチ部
２１Ａ  横マチ部
２１Ｂ  底マチ部
２１Ｃ  上マチ部
２２  左右接合片
２３  下接合片
２４  上接合片
１００  型抜工程
２００  組立工程
３００  溶着工程
【図１】
2018052519.tif 000003
【図２】
2018052519.tif 000004
【図３】
2018052519.tif 000005
【図４】
2018052519.tif 000006
【図５】
2018052519.tif 000007
【図６】
2018052519.tif 000008
【図７】
2018052519.tif 000009
【図８】
2018052519.tif 000010
【図９】
2018052519.tif 000011
【図１０】
2018052519.tif 000012